(57)【特許請求の範囲】
【請求項１】
回転軸を有し、当該回転軸を中心として回転する略円筒状の回転シリンダと、
前記回転シリンダに固定されるとともに、先端部が前記回転シリンダの外周面から突出している固定爪と、
先端部が前記回転シリンダの外周面から突出するとともに、当該先端部が前記回転シリンダの軸方向に遥動可能であり、かつ当該遥動により前記固定爪と咬合および乖離する移動爪と、
前記回転シリンダに軸方向に遥動可能に挿入され、前記移動爪が取り付けられるとともに、末端部が前記回転シリンダの長手方向の端部より突出する開閉レバーと、
前記開閉レバーの前記末端部に押し付けられるとともに回転し、その回転によって前記開閉レバーの前記末端部を押圧および開放するカムと、
前記回転シリンダおよび前記カムを支承するシリンダ支持部と本体とを備えた基台と、
前記カムに付勢することにより、前記カムが前記開閉レバーの前記末端部を押圧するための押圧力を与えるばねとを備え、
前記カムの回転に応じて前記シリンダ支持部が前記ばねと連動して遥動する脱毛装置。
【請求項２】
前記シリンダ支持部が弾性を有することにより、前記ばねと連動して遥動することを特徴とする請求項１に記載の脱毛装置。
【請求項３】
前記シリンダ支持部と前記本体との間に切欠け部を備えることにより、前記弾性を有することを特徴とする請求項２に記載の脱毛装置。
【請求項４】
前記カムがローラ形状であることを特徴とする請求項１〜３のいずれか１項に記載の脱毛装置。
【請求項５】
前記シリンダ支持部が前記カムを嵌め込むための貫通孔を備え、
前記カムが回転軸を備え、
前記貫通孔に、前記カムの表面を前記開閉レバーの前記末端部に対向させるとともに、回転可能に前記カムが挿入され、
前記ばねが、前記カムの前記回転軸を押圧することにより、前記カムに付勢することを特徴とする請求項４に記載の脱毛装置。
【発明の詳細な説明】
【技術分野】
【０００１】
本発明は、体毛を脱毛するための脱毛器具に関するものである。
【背景技術】
【０００２】
開閉可能な脱毛爪によって体毛を挟んだ上で、引き抜くことにより脱毛する脱毛装置が従来、広く用いられている。例えば、特許文献１においては、カムにより開閉レバーを遥動させ、開閉レバーに連動する脱毛爪を動作させることにより脱毛爪を開閉させ、体毛を挟みあるいは開放している。なお、カムは板ばねにより開閉レバーに押圧され、同ばねの弾性により、開閉レバーを押圧する。 
【特許文献１】特開２０００−２０１７２５号公報
【発明の開示】
【発明が解決しようとする課題】
【０００３】
しかし、特許文献１に示す技術において、板ばねがカムを保持しているストッパーに衝突し、雑音を発生させることがある。図１１（ａ）に示すようにカム２９の長径側が開閉レバー３９を押圧する際には板ばね１２０はカム２９の軸に押され、ストッパー１２５’から離れるが、図１１（ｂ）に示すように、カム２９の短径側が開閉レバー３９に近接し、開閉レバー３９を開放する際には、板ばね１２０は自らの弾性によりストッパー１２５’に近接または接触する。板ばね１２０がストッパー１２５’に衝突すると雑音が発生し、問題となる。また、かかる雑音を小さくするためには、板ばね１２０とストッパー１２５’との間隔を常に小さく保つことが有効であるが、そのために開閉レバー３９を初めとする各部品の工作精度を上げると、コストアップとなる。
【０００４】
本発明は、かかる問題を解決するためになされたもので、板ばね１２０がストッパー１２５’に衝突することにより発生する雑音発生を、大きなコストアップを伴わず、小さくする、もしくは防止できるよう改良された脱毛器具を供給することを目的とする。
【課題を解決するための手段】
【０００５】
本発明にかかる脱毛装置は、回転軸を有し、当該回転軸を中心として回転する略円筒状の回転シリンダと、前記回転シリンダに固定されるとともに、先端部が前記回転シリンダの外周面に突出している固定爪と、先端部が前記回転シリンダの外周面に突出するとともに、当該先端部が前記回転シリンダの軸方向に遥動可能であり、かつ当該遥動により前記固定爪と咬合および乖離する移動爪と、前記回転シリンダに軸方向に遥動可能に挿入され、前記移動爪が取り付けられるとともに、末端部が前記回転シリンダの長手方向の端部より突出する開閉レバーと、前記開閉レバーの前記末端部に押し付けられるとともに回転し、その回転によって前記開閉レバーの前記末端部を押圧および開放するカムと、前記回転シリンダおよび前記カムを支承するシリンダ支持部を備えた基台と、前記カムに付勢することにより、前記カムが前記開閉レバーの前記末端部を押圧するための押圧力を与えるばねとを備える。また、前記カムの回転に応じて前記シリンダ支持部が前記ばねと連動して遥動する。
【０００６】
上記構成によると、シリンダ支持部がばねと連動して揺動するため、シリンダ支持部とばねとが常に接触しているかあるいは近接している。従って、シリンダ支持部とばねとが常に接触している場合には、シリンダ支持部とばねとが衝突することがなく、雑音の発生を防止できる。シリンダ支持部とばねが近接している場合には、接触時の衝突が小さく、雑音が小さくなる。
【０００７】
前記シリンダ支持部が弾性を有することにより、前記ばねと連動して遥動することが好ましい。シリンダ支持部が弾性を有するため、弾性を有するばねと連動させやすくなる。より具体的には、シリンダ支持部が弾性を有し、シリンダ支持部とばねとを、それぞれの弾性力により互いに押し合うように配置すれば、一方を移動させれば、他方は自らの弾性力により連動する。したがって、容易にシリンダ支持部とばねとを連動させることができる。
【０００８】
シリンダ支持部と本体との間に切欠け部を備えることにより、弾性を有することが好ましい。切欠け部を備えることに容易かつ安価にシリンダ支持部に弾性を付与することができる。
【０００９】
本発明にかかる脱毛装置のカムが、ローラ形状であることが好ましい。脱毛装置のカムとしてローラ形状のカムを用いることにより、汎用かつ安価な部材でカムを形成できる。
【００１０】
本発明にかかる脱毛装置は、前記シリンダ支持部が前記カムを嵌め込むための貫通孔を備え、前記カムが回転軸を備え、前記貫通孔に、前記カムの表面を前記開閉レバーの前記末端部に対向させるとともに、回転可能に前記カムが挿入され、前記ばねが、前記カムの前記回転軸を押圧することにより、前記カムに付勢することが好ましい。
【００１１】
上記構成によると開閉レバーに設けられた貫通孔にカムが挿入され、ばねによって回転軸を押圧し、表面を前記開閉レバーの前記末端部に押し付けることにより、カムが回転可能に支承される。そのため、特段の軸受部を形成する必要がなく、簡易な構造でカムを支承および押圧できる。
【発明の効果】
【００１２】
本発明によれば、板ばねがストッパー（シリンダ支持部）に衝突することにより雑音が発生することを、防止または抑制するよう改良された脱毛器具を供給することができる。
【発明を実施するための最良の形態】
【００１３】
以下、本発明を具体化した脱毛装置の一実施形態を図１〜図１０を用いて説明する。
【００１４】
脱毛装置は、手で把持することができるサイズに形成されると共に駆動源であるモータを内蔵した本体ケーシング（図示せず）上に、図１〜４に示すように、２つの回転シリンダ４からなる脱毛ブロック２と、これらを回転駆動する駆動手段とを内蔵した脱毛用ヘッド１Ｈを設けて構成されている。
【００１５】
図４〜図６を参照して、脱毛用ヘッド１Ｈが備える回転シリンダ４は、略円柱状であり、両底円部は略円盤状の端面形成部材５０により形成されている。端面形成部材５０の中央部には貫通孔４ｂが設けられるとともに、回転軸５６ｊが嵌入されている。貫通孔４ｂの円周方向外側には放射状に８つの貫通孔４ｃが設けられるとともに、開閉レバー３９ｂがそれぞれ摺動可能に挿入されている。貫通孔４ｃの更に円周方向外側の各貫通孔４ｃに対応する位置には、８つの貫通孔４ｂが設けられるとともに、略円柱状の固定軸４１がそれぞれ嵌入されている。端面形成部材５０の回転シリンダ内面には、８つの貫通孔４ｂにそれぞれ対応した位置に軸方向の溝４ａを有した突出部が形成されており、溝４ａごとに略長方形の板状の支点板３３が嵌め込まれている。
【００１６】
図７をあわせて参照し、支点板３３は、厚み方向に貫通する４つの可動爪嵌め込み用角孔３３ｃを備えている。各可動爪嵌め込み用角孔３３ｃにはそれぞれ可動爪５が嵌め込まれている。各可動爪５の各基端部５ｃはそれぞれ開閉レバー３９ａ，３９ｂに設けた溝３９２ａ，３９２ｂに嵌め込まれるため、開閉レバー３９ａ，３９ｂの摺動に応じて、可動爪５は可動爪嵌め込み用角孔３３ｃを支点として先端部５ａを回転軸５６ｊ方向に遥動する。
【００１７】
支点板３３は、各可動爪嵌め込み用角孔３３ｃの間に３つの支点止め嵌め込み用角孔３３ａを更に備えている。中央の支点止め嵌め込み用角孔３３ａには支点止め部材３４が、両側の支点止め嵌め込み用角孔３３ａには間に固定爪３６を挟んで支点止め部材３４が嵌入固定されている。固定爪３６は略長方形の板状部材であるが、長手方向の両端部３６ａが外周方向に折り曲がっているとともに、端部３６ａが可動爪の先端部５ａと対向しているため、先端部５ａが遥動することによって、固定爪３６の端部３６ａと可動爪の先端部５ａとの間隔が変動し、両者が咬合および乖離する。これら端面形成部材５０および支点止め部材３４によって回転シリンダの外周面１０が形成されており、外周面１０から固定爪３６の端部３６ａおよび可動爪５の先端部５ａが突出している。また、可動爪５および支点止め部材３４は回転軸５６ｊに貫通する貫通孔を有し、この貫通孔に固定軸４１が挿入されることにより、抜け止めされている。
【００１８】
回転軸５６ｊは、回転シリンダ４の両底円部を形成する端面形成部材５０より外側に突出している。図８（ｂ）をあわせて参照して、かかる突出部分が、基台１２５および１２６の内側にそれぞれ設けられた略円筒状の軸受部１３０により、両側から挟みこむように支承されることにより、回転シリンダ４は基台１２５および１２６に回転可能に支持されている。なお、軸受部１３０の軸方向の長さを、回転軸５６ｊの挿入される部分より長くすることにより、遊びが設けられている。また、上述のように、基台１２５および１２６には同構造の回転シリンダ４が２つ互いに回転軸５６ｊを平行にして支持されており、脱毛ブロック２を形成している。
【００１９】
図８（ｂ）に示されるように、基台１２５において回転シリンダ４を支持するシリンダ支持部１２５ａおよび１２５ｂ、と基台１２５の本体１２５ｃとの間にはそれぞれ切欠け部２０１が設けられている。また、基台１２６において回転シリンダを支持するシリンダ支持部１２６ａおよび１２６ｂ、と基台１２６の本体１２６ｃとの間にはそれぞれ切欠け部２００が設けられている。かかる切欠け部２０１、２００によってシリンダ支持部１２５ａ、１２５ｂ、１２６ａ、１２６ｂは弾性を付与されている。シリンダ支持部１２５ａ、１２５ｂ、１２６ａ、１２６ｂにはローラ状のカム２９を挿入するための貫通孔１４０ａ、１４０ｂ、１４１ａ、１４１ｂが、回転シリンダ４の開閉レバー３９の端部と対向する位置に設けられている。なお、貫通孔１４０ａ、１４０ｂ、１４１ａ、１４１ｂは、図９に示される、カム２９の回転軸２９ｊ方向の断面形状の略相似形であり、形状の異なる長方形を互いに交差させた十字状である。かかる長方形のうち、カム２９の回転軸２９ｊの断面形状に略相似する長方形（以下軸長方形とする）の長辺は回転シリンダ４の回転軸５６ｊに垂直な方向に向いている。
【００２０】
図８（ｂ）を参照して、シリンダ支持部１２５ａおよび１２６ａを挟み込むように、略コの字型形状の板ばね１２０ａが固定されている。より具体的には、基台１２５の本体１２５ｃであって、シリンダ支持部１２５ａと１２６ａとの連絡部分に、板ばね１２０ａの中央部をねじ止めすることにより固定されている。従って、シリンダ支持部１２５ａに対応する板ばね１２０ａの端部およびシリンダ支持部１２６ａに対応する板ばね１２０ａの端部はともに回転シリンダ４の長手方向に弾性を保持している。なお、１２０ａの端部には略長方形状の貫通孔１２１ａが設けられている。貫通孔１２１ａの形状はシリンダ支持部１２５ａの貫通孔１４０ａまたは１２６ａの貫通孔１４１ａいずれか対応する一方であって、カム２９のローラ部分の断面形状に略相似する長方形状である。図８（ｂ）および図９に示すように、ローラ型のカム２９がシリンダ支持部１２５ａの貫通孔１４０ａに嵌め込まれる。上述のように貫通孔１４０ａはカム２９の軸方向断面と略相似形であるため、貫通孔１４０ａの形状に合わせてカム２９を挿入することができる。更にシリンダ支持部１２５ａを挟み込むように、板ばね１２０ａが固定されているため、板ばね１２０ａは回転軸２９ｊを介してカム２９の表面２９ｒを回転シリンダ４の側壁より突出する開閉レバーの末端部３９１ｂに押圧する。なお、回転シリンダ４の回転に応じて、カム２９は回転軸２９ｊを回転中心として回転しながら、表面２９ｒを開閉レバーの末端部３９１ｂに押圧する。また、板ばね１２０ａは１２６ａの１２１ａを有するため、カム２９の表面２９ｒを押圧することはなく、カム２９の回転を妨げない。
【００２１】
なお、シリンダ支持部１２５ｂおよび１２６ｂを挟み込むように、略コの字型板ばね１２０ｂが固定されている。以下の構成については板ばね１２０ａと同様であるので、説明を省略する。
【００２２】
脱毛ブロック２の長手方向の側部には図３および図４（ｂ）に示されるように、歯車８ａ〜８ｆからなる歯車列が形成されている。各歯車８ａ〜８ｆは順に噛合している。歯車８ａは本体部に内蔵された図示しないモータに接続されており、その回転力を各歯車を介して歯車８ｆに伝達する。歯車８ｆは２つの回転シリンダ４に備えられた２つの歯車４１ｇの両者に噛合しているため、モータの回転力を２つの回転シリンダ４の両方に伝える。
【００２３】
こうして構成された脱毛用ヘッド１Ｈは、図２および図３を参照して、本体側取り付け部７の下部に形成されたフック９２によって図示しない本体に取り付けられる。本体にはフック９２に対応する形状のとりつけ孔が形成され、フック９２を嵌め込むことができる。
【００２４】
かかる脱毛装置に電源が投入されると、本体部分に備えられたモータの駆動に伴い、歯車８ａ〜８ｆからなる歯車列が回転し、動力を歯車４１ｇを介して２つの回転シリンダ４に伝達する。それによって２つの回転シリンダ４が回転すると、回転シリンダ４の開閉レバー３９の末端部３９１ｂに、表面２９ｒが押付けられているカム２９が回転し、末端部３９１ｂを押圧または開放する。末端部３９１ｂを押圧または開放されることにより、開閉レバー３９ａ，３９ｂが遥動するため、可動爪５は可動爪嵌め込み用角孔３３ｃを支点として先端部５ａを遥動させる。それによって、固定爪３６の端部３６ａと可動爪の先端部５ａとの間隔が変動し、両者が開閉する。かかる状態で、２つの回転シリンダ４からなる脱毛ブロック２を肌面に近接させると、固定爪３６の端部３６ａと可動爪の先端部５ａとが乖離している際に、肌面に生えている体毛が入り込み、咬合する際に挟み込まれる。体毛が挟み込まれたまま回転シリンダ４が回転することにより、体毛が引き拭かれ、体毛を脱毛することができる。
【００２５】
ここで、図１０（ａ）に示すようにカム２９の長径側が開閉レバーを押圧する際にはカム２９の位置が板ばね１２０ａ側に移動するため、板ばね１２０ａはカム２９の軸に押される。このとき、シリンダ支持部１２５ａが弾性を有するため、自らの弾性力により板ばね１２０ａに連動して移動する。従って、板ばね１２０ａとシリンダ支持部１２５ａとは接触を保つか、少なくとも近接している。図１０（ｂ）に示すようにはカム２９の短径側が開閉レバーに近接する際には、板ばね１２０ａはシリンダ支持部１２５ａの弾性によりその押圧力を弱められるため、カム２９の回転軸を押す力が弱められ、開閉レバーを開放する。このときも板ばね１２０ａは自らの弾性によりシリンダ支持部１２５ａに接触している。従って、板ばね１２０ａとシリンダ支持部１２５ａとは常に接触または少なくとも近接している。かかる構造は板ばね１２０ａとシリンダ支持部１２５ａのみでなく、板ばね１２０ａとシリンダ支持部１２６ａ、板ばね１２０ｂとシリンダ支持部１２５ｂ、板ばね１２０ｂとシリンダ支持部１２６ｂにおいても同様である。
【００２６】
上記実施形態の脱毛装置によれば、以下のような効果を得ることができる。
【００２７】
（１）上記実施形態では、上述のように板ばね１２０ａとシリンダ支持部１２５ａとは常に接触または少なくとも近接しているため、板ばね１２０ａとシリンダ支持部１２５ａとが衝突することはなく、衝突による雑音を防止または小さくすることができる。
【００２８】
（２）上述のように、板ばね１２０ａ、１２０ｂに加えシリンダ支持部１２５ａ、１２５ｂ、１２６ａ、１２６ｂにも弾性を付与することによって、板ばねとシリンダ支持部とを連動させ、板ばねとシリンダ支持部とを常時接触または近接させている。したがって、特段の連動装置を用いずに容易にシリンダ支持部とばねとを連動させることができる。
【００２９】
（３）上記実施形態では、シリンダ支持部１２５ａ、１２５ｂ、１２６ａ、１２６ｂと基台１２５、１２６の本体との間に切欠け部を備えることにより、弾性を付与している。従って、切欠け部を設けることのみにより、容易かつ安価にシリンダ支持部に弾性を付与することができる。
【００３０】
（４）上記実施形態では、脱毛装置のカム２９は、ローラ形状である。ローラ形状のカムを用いることにより、汎用かつ安価な部材でカムを形成できる。
【００３１】
（５）上記実施形態では、シリンダ支持部１２５ａ、１２５ｂ、１２６ａ、１２６ｂに設けられた貫通孔１４０ａ、１４０ｂ、１４１ａ、１４１ｂにカム２９が挿入され、ばね１２０ａ、１２０ｂによって回転軸２９ｊを押圧し、表面２９ｒを開閉レバー３９の末端部３９１ｂに押し付けることにより、カム２９が回転可能に支承される。そのため、特段の軸受部を形成する必要がなく、簡易な構造でカムを支承および押圧できる。
【００３２】
なお、上記実施形態は以下のように変更してもよい。
【００３３】
・上記実施形態においてはカム２９に付勢するばねとして、板ばねを使用したが、特に板ばねでなくても良い。例えばコイルばねによって付勢しても良い。
【００３４】
・上記実施形態においては、シリンダ支持部１２５ａ、１２５ｂ、１２６ａ、１２６ｂと基台１２５、１２６の本体との間に切欠け部を備えることによりシリンダ支持部に弾性を与えているが、他の方法でもよい。たとえば、シリンダ支持部を含む基台の一部または全部をゴムなどの弾性部材で形成しても良い。
【００３５】
・上記実施形態においては、ローラ状のカムを用いたが、他の形状でもよい。例えば平面溝カムや共役カムを用いてもよい。
【００３６】
・上記実施形態にかかる脱毛装置の脱毛ブロック２に回転軸５６ｊに垂直な方向への遥動機能を付加しても良い。かかる機能を付加することにより、脱毛ブロック２を肌に押し当てた際に肌表面の凹凸に合わせて、脱毛ブロック２を遥動させることができる。従って、脱毛ブロック２を、肌に押し当てる力が、略均一となるため、肌を傷めることが少なくなるとともに、脱毛効率も向上する。
この遥動機能については、例えば特開２００６−１７５０２６に示された技術を適用することがきる。
【００３７】
・上記変形例にかかる脱毛装置において、２つの回転シリンダ４、４の隙間に脱毛ブロック２と連動して遥動するとともに、櫛状に形成されたコームを配置した構造としても良い。脱毛ブロック２を肌面に押し当てる際、まずコームが肌に当たるため、体毛の根元部分を押さえることにより体毛を搾り出し、効率よく脱毛することができる。また、櫛による整毛効果や肌へのあたりを和らげる効果も付加することができる。
【００３８】
・上記実施形態にかかる脱毛装置に、脱毛用ヘッド１Ｈの着脱機能を付加しても良い。かかる機能を付加することにより、脱毛用ヘッド１Ｈの掃除性が向上するとともに、脱毛用ヘッド１Ｈの交換が可能となる。脱毛用ヘッド１Ｈの交換することによって体毛にあわせて脱毛用ヘッド１Ｈの種類を使い分けることや、消耗した脱毛用ヘッド１Ｈのみを部品として交換することができる。かかる着脱機能としては例えば、特開２００３−２７５０２１に示された技術を適用することがきる。
【産業上の利用可能性】
【００３９】
本発明によれば、ばねがシリンダ支持部に衝突することにより生じる雑音発生を、抑制できるため、脱毛器具に広く用いることができる。
【図面の簡単な説明】
【００４０】
【図１】本発明の一実施形態にかかる脱毛装置の脱毛用ヘッドの外形図であり、（ａ）は側面図、（ｂ）は生面図である。
【図２】図１（ｂ）のＢ−Ｂによる断面図である。
【図３】本発明の一実施形態にかかる脱毛装置の脱毛用ヘッドの長手方向に平行な意面による断面図である。
【図４】本発明の一実施形態にかかる脱毛装置の脱毛用ヘッドの構造を示す図であって、（ａ）は斜視図、（ｂ）は刃カバーを取り外した状態の斜視図、（ｃ）は脱毛ブロックおよび駆動手段の斜視図である。
【図５】回転シリンダの回転軸を含む平面による断面図である。
【図６】回転シリンダの一部分解斜視図である。
【図７】回転シリンダの一部分解斜視図である。
【図８】脱毛用ヘッドの一部分解斜視図であって、（ａ）は脱毛ブロックの斜視図であって、（ｂ）は基台部分の斜視図である。
【図９】本発明の一実施形態にかかる脱毛装置の脱毛用ヘッドの分解斜視図である。
【図１０】本発明の一実施形態にかかる脱毛装置のシリンダ支持部および板ばねの動作を示す模式図であり、（ａ）はカムが開閉レバーを押圧した状態であり、（ｂ）はカムが開閉レバーを開放した状態である。
【図１１】従来例にかかる脱毛装置のストッパーおよび板ばねの動作を示す模式図であり、（ａ）はカムが開閉レバーを押圧した状態であり、（ｂ）はカムが開閉レバーを開放した状態である。
【符号の説明】
【００４１】
１Ｈ  脱毛用ヘッド
２    脱毛ブロック
４    回転シリンダ
４ａ  溝
４ｂ  貫通孔
４ｃ  貫通孔
５    可動爪
５ａ  （可動爪の）先端部
５ｃ  （可動爪の）基端部
７    本体側取り付け部７
８ａ,８ｂ,８ｃ,８ｄ,８ｅ,８ｆ 歯車
２９  カム
２９ｊ      回転軸
２９ｒ      表面
３３  支点板
３３ａ      支点止め嵌め込み用角孔
３３ｃ      可動爪嵌め込み用角孔
３４  支点止め部材
３６  固定爪
３６ａ      端部
３９  開閉レバー
３９ａ，３９ｂ    開閉レバー
４１  固定軸
４１ｇ      歯車
５０  端面形成部材
５６ｊ      回転軸
９２  フック
１２０、１２０ａ、１２０ｂ    板ばね
１２１ａ    貫通孔
１２５      基台
１２５ａ    シリンダ支持部
１２５ｂ    シリンダ支持部
１２５ｃ    （基台の）本体
１２５’    ストッパー
１２６      基台
１２６ａ    シリンダ支持部
１２６ｂ    シリンダ支持部
１２６ｃ    （基台）の本体
１３０      軸受部
１４０ａ    貫通孔
１４１ａ    貫通孔
２００      切欠け部
２０１      切欠け部
３９１ｂ    末端部
３９２ａ，３９２ｂ      溝
【図１】
0004285564.tif 000002
【図２】
0004285564.tif 000003
【図３】
0004285564.tif 000004
【図４】
0004285564.tif 000005
【図５】
0004285564.tif 000006
【図６】
0004285564.tif 000007
【図７】
0004285564.tif 000008
【図８】
0004285564.tif 000009
【図９】
0004285564.tif 000010
【図１０】
0004285564.tif 000011
【図１１】
0004285564.tif 000012